(57)【特許請求の範囲】
【請求項１】
偏心軸を中心として回動可能に支持されるとともに、断面円形の胴部を具備し、かつ弾性を有するローターと、このローターの胴部が挿入されている円孔を具備するフック部材とを備えているプレハブパネル用フック装置において、前記フック部材との係合によりプレハブパネルを結合するピンを有するとともに、前記ローターの胴部外周面に３個の突部が形成され、この３個の突部の内一対は、略１８０°ずれて配置され、残りの１個はロ−タ−の偏心軸から遠い側の胴部外周面において前記一対の突部の中間の位置に配置されており、一方、前記円孔の内周面には、前記フック部材がピンに係合した状態で前記３個の突部全部に係合する複数個の係合部が形成されていることを特徴とするプレハブパネル用フック装置。
【請求項２】
前記ロ−タ−の胴部の両端には各々フック部材の離脱を防止する係止部が形成されており、この係止部の一部が複数の突起で構成されていることを特徴とする請求項１記載のプレハブパネル用フック装置。
【発明の詳細な説明】
【０００１】
【産業上の利用分野】
本発明は、プレハブ冷凍冷蔵庫などのプレハブ構造物を構成するプレハブパネル同士を結合させるために、プレハブパネル内部に組み込まれているプレハブパネル用フック装置に関する。
【０００２】
【従来の技術】
この種のプレハブパネル用フック装置は、他のプレハブパネルに組み込まれたピンとによりロータリーロックを構成しており、ロータリーロックはたとえば特公昭６０−２５２８号公報（Ｆ１６Ｂ５／０７）などに記載されている。
【０００３】
この様なロータリーロックは、図８に図示するようなプレハブ冷凍冷蔵庫０１を構成する断熱性プレハブパネル０２を組み立てるのに用いられる。このプレハブ冷凍冷蔵庫０１の内部には庫内を冷却する冷却装置が備えられており、また、プレハブ冷凍冷蔵庫０１の正面には開口部が形成されて、この開口部に取扱者用の扉が開閉自在に設けられている。
【０００４】
そして、図９に示すように、一方のプレハブパネル０２にはフック装置Ｆが、他方のプレハブパネル０２にはピン装置Ｐが組み込まれ、フック装置Ｆのフックをピン装置Ｐのピンに係合させて引き寄せることによりプレハブパネル０２同士が結合される。
【０００５】
この様なフック装置Ｆの従来の構造は、図１０ないし図１２に図示されている。フック装置Ｆのフック収納ケース０３はフック収納凹部０４が形成された一対の鉄板０５を突き合わせて、スポット溶接して形成されている。この鉄板０５には空気抜き穴０６が複数個穿たれ、この空気抜き穴０６にはウレタンの侵入を阻止するシールが施されている。そして、フック収納ケース０３の内部には、断面円形の胴部０７ａ（図１２参照）を具備する鉄製のローター０７がその偏心軸０８を軸として回動可能に支持され、また、ローター０７の外周部には突出部０９が形成されている。一方、このローター０７の胴部０７ａが鉄製のフック部材０１０の円孔０１１に挿入されて、フック部材０１０はローター０７に回動可能に支持されている。このフック部材０１０には引込み側ストッパー０１２および緩み側ストッパー０１３が形成されている。
【０００６】
そして、このローター０７を偏心軸０８を軸として時計方向に回動させて突出部０９を引込み側ストッパー０１２と当接させると、フック部材０１０のフック部が偏心軸０８に近づき、逆にローター０７を反時計方向に回動させて突出部０９を緩み側ストッパー０１３と当接させると、フック部材０１０のフック部が偏心軸０８から遠のく。
【０００７】
この様に構成されたフック装置Ｆが組み込まれるプレハブパネルには、図９に図示するウレタンがむき出しの規格品のプレハブパネルと、図１１に図示する塩ビ枠を用いた特注品のプレハブパネルとの２種類がある。
そして、図１１において、フック装置Ｆを塩ビ枠０１５に固定するためには、フック収納ケース０３にビス止め用金具０１６をスポット溶接し、ビス０１８で塩ビ枠０１５に固定する。
【０００８】
【発明が解決しようとする課題】
プレハブパネルが規格品の場合には、図９に示すようにステンレス板、鋼板などの長方形の面材０１９を一対間隔を開けて対向させて空洞のパネルを構成し、その空洞のパネルの各辺の間隙に、フック装置Ｆを組み込むとともに、強固な型枠で覆い、その内部にウレタンを注入して発泡させて製作しているので、製作誤差は極めて小さく、プレハブパネルの接続面に設けられたパッキンの変形量は均一であり、ロータリーロックのかかりに不具合が生じることは少ない。
【０００９】
しかしながら、特注品の場合には、空洞のパネルの各辺の間隙をフック装置Ｆを取り付けた塩ビ枠０１５で覆い、ウレタンをプレハブパネルの内部に挿入して発泡させて製作するので、ウレタン発泡時に前記型枠よりも柔軟な塩ビ枠０１５が膨らんだり、凹んだりする。また、その他の原因たとえば加工誤差などにより、塩ビ枠０１５自体が変形する。したがって、プレハブパネル同士の接続面に凸凹が生じる。このプレハブパネルを結合するために、ロータリーロックのフック部材０１０のフック部をピン装置Ｐのピン０２０に係合させて引き寄せると、前記凸凹により、塩ビ枠０１５の表面に設けられたパッキンの変形量が大きい場合と小さい場合が発生する。
【００１０】
パッキンの変形量があまり大きいと、ローター０７の回動に大きな力が必要となり、回動途中でその回動が不可能になる場合がある。すると、図１１において、ローター０７の中心Ｏ２が、偏心軸０８の中心Ｏ１とピン０２０の中心Ｏ３とを結ぶ線よりも下側になる。そして、パッキンなどにより、離れる方向（右側）の力がピン０２０に加わると、フック部材０１０によりその力が伝達されて中心Ｏ２に右方向の力が加わる。この力によりローター０７が中心Ｏ１を中心に反時計方向に回動し、ロータリーロックが緩む場合がある。
【００１１】
この様な不具合を解消するために、本出願人は、特願平６−１１６７８４号において、ローターの胴部外周面に一対の突部を形成し、一方、フック部材の円孔に突部に係合する係合溝を形成したプレハブパネル用フック装置を提案している。このプレハブパネル用フック装置は、ローターの回動途中においてローターの回動を中止しても、ローターの突部とフック部材の係合溝とが係合して、ロータリーロックが緩むのを防止している。しかしながら、フック部材に強い力が加わった場合には、ロータリーロックが緩むことがある。
【００１２】
また、フック部材の円孔からローターの胴部が外れないようにするために、ローターの胴部の両端に各々係止用のフランジが設けられている。このように、フランジが設けられているので、フック部材の円孔にローターの胴部を組み付ける際には、フック部材がこのフランジを乗り越える必要があり、かなりの力を要する。したがって、組み付け作業が困難となっている。
【００１３】
本発明は、以上のような課題を解決するためのもので、ローターの突部とフック部材の係合溝とを係合させて、ロータリーロックが緩むことを防止しているフック装置をさらに改善したプレハブパネル用フック装置を提供することを目的とする。特に、フック部材に強い力が加わった場合にも、ロータリーロックが緩むことが少ないプレハブパネル用フック装置を提供することを一次的目的とし、そして、フック部材の円孔にローターの胴部を組み付ける作業が簡単であるプレハブパネル用フック装置を提供することを二次的目的とする。
【００１４】
【課題を解決するための手段】
本発明のプレハブパネル用フック装置は、偏心軸を中心として回動可能に支持されるとともに、断面円形の胴部を具備し、かつ弾性を有するローターと、このローターの胴部が挿入されている円孔を具備するフック部材とを備えているものであって、前記フック部材との係合によりプレハブパネルを結合するピンを有するとともに、前記ローターの胴部外周面に３個の突部が形成され、この３個の突部の内一対は、略１８０°ずれて配置され、残りの１個はロ−タ−の偏心軸から遠い側の胴部外周面において前記一対の突部の中間の位置に配置されており、一方、前記円孔の内周面には、前記フック部材がピンに係合した状態で前記３個の突部全部に係合する複数個の係合部が形成されている。
【００１５】
また、前記ロ−タ−の胴部の両端には各々フック部材の離脱を防止する係止部が形成されており、この係止部の一部が複数の突起で構成されている。
【００１６】
【作用】
ローターの胴部外周面に形成された３個の突部の内一対は、略１８０°ずれて配置され、残りの１個はローターの偏心軸から遠い側の胴部外周面において前記一対の突部の中間の位置に配置されている。したがって、フック部材がピンに係合した状態で、３個の突部全部に係合する複数個の係合部が形成されているので、フック部材に大きな力が加わっても、ロータリーロックが外れることを阻止することができる。
【００１７】
また、ローターの胴部の両端に、フック部材の離脱を防止する係止部が形成されている場合には、ローターの胴部をフック部材の円孔に嵌め込む際には、一方の係止部がフック部材の一面から、他面側に移動する必要がある。この場合には、移動する係止部が複数個の突起で構成されているので、１個の大きな係止部たとえばフランジなどで構成されている場合よりも、小さな力で簡単にローターの胴部をフック部材の円孔に嵌め込むことができる。したがって、嵌め込み作業を楽に行うことができる。
【００１８】
【実  施  例】
次に、本発明におけるプレハブパネル用フック装置の一実施例について図１ないし図７を用いて説明する。
図１は本発明におけるプレハブパネル用フック装置の一実施例の説明図で、プレハブパネルが結合されている状態での一部切欠き正面図である。図２はプレハブパネル用フック装置のフック収納ケースの組み立て前の状態を説明するための図で、（ａ）が平面図、（ｂ）が正面図である。図３はローターの図で、（ａ）が平面図、（ｂ）が正面図である。図４は図３（ａ）のIV−IV断面図である。図５はフック部材の平面図である。図６はフック部材の係合溝とローターの突部との位置関係を説明するための図である。図７はフック部材とローターとが結合されている状態の平面図で、（ａ）がフック部がローターの偏心軸に近づいた状態の図、（ｂ）が（ａ）に図示された位置からローターが４５°回動した状態の図、（ｃ）がフック部がローターの偏心軸から遠のいた状態の図である。
【００１９】
図１において、プレハブパネルである断熱パネルＤ１の枠材Ｗ１には、プレハブパネル用フック装置Ｆが適宜手段により取り付けられている。一方、断熱パネルＤ１に隣接する断熱パネルＤ２の枠材Ｗ２には、フック装置Ｆと結合するピン装置Ｐが適宜手段により取り付けられている。これらフック装置Ｆとピン装置Ｐとによりロータリーロックが構成されている。
【００２０】
そして、このフック装置Ｆのフック収納ケース１は弾性を有するＡＢＳ樹脂などの合成樹脂材料で一体成形されており、図２において、一対の長方形の支持板２，３の一辺を可撓性の連結部５で接続した構造をしている。左側の支持板２の左端部には上下に各々係合爪７，８が突出して形成され、一方右側の支持板３の右端部には上下に各々係合孔１０，１１が形成されている。また、支持板２には軸受け孔１３が、支持板３には軸受け凹部１４が形成されている。さらに、支持板３には、収納用ストッパー２１および飛び出し防止用ストッパー２３が突出して形成されている。
【００２１】
このフック収納ケース１は、連結部５を折れ目として折り曲げて、支持板２と支持板３とを対向させ、一対の係合爪７，８を係合孔１０，１１に係合させて使用される。
【００２２】
図３および図４において、フック収納ケース１の内部に収納されるローター３１は弾性を有したポリアセタールなどの合成樹脂で成形されている。このポリアセタールはフック収納ケース１を成形しているＡＢＳ樹脂よりも硬質で、耐磨耗性を有している。また、ローター３１の偏心軸３３は、フック収納ケース１の軸受け孔１３および軸受け凹部１４に回動可能に支持されるとともに、ハンドルレバーが着脱自在に挿入される孔３４が形成されている。さらに、ローター３１の胴部３５は円板状をしており、その外周部には高さの低い円筒壁３５ａが形成されている。この円筒壁３５ａの軸方向の一方の端部（図３（ｂ）および図４においては上側）には、フック挟持用のフランジ３７ａおよび突出部３８が外側に突出して形成されている。また、円筒壁３５ａの軸方向の他方の端部には、フック挟持用のフランジ３７ｂおよびフック挟持用の一対の突起３９が外側に突出して形成されている。この一対の突起３９は互いに近接して並んでいる。そして、図４に図示するように、断面は楔状の直角三角形形状をしており、胴部３５の円筒壁３５ａの面に略垂直な段部３９ａが形成されている。そして、段部３９ａから円筒壁３５ａの端部に向けて先細となって傾斜面が形成されている。また、突起３９の幅（円筒壁３５ａの周方向）および突出量（円筒壁３５ａの径方向）は、突起３９の長さ（円筒壁３５ａの軸方向）よりも小さく形成されている。
【００２３】
さらに、胴部３５の下面には円筒壁３５ａに沿って、２個の円弧状の凹部４０ａ，４０ｂが形成されている。そして、胴部３５の円筒壁３５ａの外周面には、係合用の突部４２（４２ａ，４２ｂ，４２ｃ）が約９０°ずらして３個形成されている。すなわち、図３（ａ）において左側の第１突部４２ａと右側の第２突部４２ｂとは略１８０°ずれて配置され、また、ローター３１の偏心軸３３から略等しい距離に位置している。一方、上側の第３突部４２ｃは、第１突部４２ａと第２突部４２ｂとの中間位置にあり、かつ、ローター３１の偏心軸３３から一番遠い位置に配設されている。そして、第３突部４２ｃが、胴部３５の径方向に変位し易いように、前述の凹部４０ｂが形成されている。
【００２４】
図５において、前述のローター３１に取り付けられるフック部材５１には円孔５２が形成されている。この円孔５２にはローター３１の胴部３５が挿入され、その円孔５２の内周面には、ローター３１の突部４２に係合する係合部である係合溝５５（５５ａ〜５５ｊ）が多数形成されている。この係合溝５５はこの実施例においては合計１０個設けられている。すなわち、上下端および左右端の計４個、左側下方に３個、右側上方に２個、さらに右側下方に１個配置されている。このフック部材５１は鉄などの金属で構成され、その表面にはローター３１の突出部３８に当接する引き寄せ側ストッパー６１および緩み側ストッパー６２が突設されている。
【００２５】
このフック部材５１にローター３１を組み付けるには、フック部材５１の円孔５２に、ローター３１の胴部３５をフランジ３７ｂが形成されている側から挿入し、フランジ３７ａとフランジ３７ｂとでフック部材５１の両面を挟持させる。そして、一対の突起３９をフック部材５１の面に押しつけて変位させながら、突起３９をフック部材５１の円孔５２を通過させる。言い換えると、フック部材５１が一対の突起３９を乗り越える。この際に、突起３９には前述のように、傾斜面が形成されているので、容易に通過させることができる。そして、この通過により、突起３９はフック部材５１の反対側の面に位置することになる。したがって、フック部材５１の一方の面側に、フランジ３７ａおよび突出部３８が位置し、他方の面側に、フランジ３７ｂおよび一対の突起３９が位置する。その結果、これら係止部であるフランジ３７ａ，３７ｂ、突出部３８および突起３９により、フック部材５１がローター３１の胴部３５から離脱することが阻止される。なお、前述のように、突起３９の近傍に凹部４０ａが形成されているので、突起３９の近傍においては胴部３５の円筒壁３５ａが弾性変形しやすい。したがって、突起３９が円孔５２を通過する際には、突起３９が変位し易く、嵌め込み作業を小さな力で行うことができる。
【００２６】
このようにして、組み立てられたフック部材５１とローター３１とは、相対的に回動可能である。そして、ローター３１の偏心軸３３がフック部材５１の円孔５２の中心から偏心している。したがって、図７において、ローター３１の突出部３８が引き寄せ側ストッパー６１に当接している時（図７（ａ）に図示する状態）が、フック部材５１のフック部が引き寄せ側すなわち偏心軸３３側（図においては下側）に変位している。この状態から、フック部材５１を回転させないで、ローター３１のみを反時計方向に回転させると、だんだんとフック部材５１のフック部は緩み側すなわち偏心軸３３から離れる側に移動する（図７（ｂ）に図示する状態）。そして、ローター３１の突出部３８が緩み側ストッパー６２に当接している時（図７（ｃ）に図示する状態）が、一番緩み側に変位している。
【００２７】
このようなフック部材５１が取り付けられたローター３１の偏心軸３３を、図２に図示するフック収納ケース１の軸受け孔１３または軸受け凹部１４に嵌め込む。そして、前述のように、フック収納ケース１を連結部５で折り曲げ、一対の係合爪７，８を係合孔１０，１１に係合させて、フック装置Ｆは製作される。そして、図１に図示するように、適宜手段により断熱パネルＤ１の枠材Ｗ１に取り付けられる。
【００２８】
次に、前述の構成を備えたプレハブパネル用フック装置の作動について説明する。
図１において、突出位置のフック部材５１をフック収納ケース１内に収納するためには、ローター３１の偏心軸３３の孔３４にハンドルレバーを挿入して、ローター３１を反時計方向に回動させる。ところで、図１の状態では、フック部材５１のフック部はピン装置Ｐのピン７１に係合しているので、フック部材５１はローター３１とともに回転することはできない。したがって、ローター３１の反時計方向の回転にともなって、ローター３１の突出部３８が引き寄せ側ストッパー６１から離れていく。そして、フック部材５１のフック部は、前述のように緩み側、すなわちこの図においては右側に変位する。この変位により、フック部とピン７１との係合が外れる。さらに、ローター３１を回転させると、胴部３５と円孔５２との摩擦抵抗により、フック部材５１はローター３１と一緒に反時計方向に回動する。そして、フック部材５１は収納用ストッパー２１に当接し、フック収納ケース１内に収納される。
【００２９】
逆に、この収納状態から、フック部材５１のフック部をピン７１に係合させるためには、ローター３１を時計方向に回動させる。フック部がピン７１に係合すると、フック部材５１の回転は停止する。さらにローター３１を時計方向に回動すると、フック部材５１のフック部がピン７１を引き寄せる。この引き寄せの途中で、段々とローター３１の回転が重くなることがあるが、その場合には、突部４２が係合溝５５に係合した時点で、ローター３１の回動を停止する。これで、ロータリーロックがロックされた状態となる。
【００３０】
そして、図６において、フック部材５１のフック部がピン７１を最大に引き寄せた場合とのズレが締めしろである。また、ピン７１が最大に引き寄せられている時のローター３１の回転位置を０°とする。そして、締めしろが 0.5mm,1.5mm,3mmの時すなわちローター３１が２３°、３９．５°、５７．５°回転した時には左側の第１突部４２ａが係合溝５５ｂ，５５ｃ，５５ｄに係合する。また、締めしろが1mm, 2mmの時すなわちローター３１が３２°、４６°回転した時には右側の第２突部４２ｂが係合溝５５ｈ，５５ｊに係合する。そして、この各締めしろにおいて、第１突部４２ａまたは第２突部４２ｂが係合溝５５に係合することにより、ローター３１の回転を防止している。したがって、フック部材５１のフック部とピン７１との係合が緩むことが防止されている。なお、締めしろが 2mm,3mmは予備的に設けられており、通常は使用されない。
【００３１】
ところが、ピン７１が強い力でフック部材５１を引っ張ることがあり、前述の第１突部４２ａまたは第２突部４２ｂと係合溝５５との係合が離脱して、ローター３１が反時計方向に回転することがある。そこで、第３突部４２ｃが設けられており、ローター３１が４５°回転すると、この第３突部４２ｃが係合溝５５ｆと係合する。ところで、図７（ｂ）において、フック部材５１がピン７１によりこの図において上側に力Ｙで引っ張られると、反力として偏心軸３３に反対方向の力Ｙが発生し、その作用線が互いにズレているので偶力Ｘが発生する。この偶力Ｘを、第３突部４２ｃと係合溝５５ｆとの係合で係止する。そして、この第３突部４２ｃは偏心軸３３との距離が、他の突部４２である第１突部４２ａまたは第２突部４２ｂよりも長く、偶力Ｘが大きくても耐えることができる。すなわち、偶力Ｘを発生する力Ｙが大きくても、耐えることができる。この実施例の場合には、力Ｙの許容引っ張り力すなわち１００ｋｇに耐える強度を得ることができる。
【００３２】
なお、突部４２と係合溝５５との係合力も、係合溝５５が形成されている場所により相違する。図５において、フック部材５１がピン７１により、緩み側すなわちこの図においては上側に引っ張られると、円孔５２に形成されている係合溝５５も上側に変位する。したがって、フック部から遠い側の内面に形成されている係合溝５５ｂ，５５ｃ，５５ｄ，５５ｅ，５５ｆはローター３１に向かって移動し、突部４２と密着し、その係合が堅固となる。その結果、ローター３１の回転を防止することができる。それに対して、フック部に近い側の内面に形成されている係合溝５５ｈ，５５ｉ，５５ｊはローター３１から離れる方向に移動し、突部４２との間に隙間が発生し、その係合が緩くなる。その結果、ローター３１は回転し易くなる。
【００３３】
また、最大に引き寄せられた時、すなわち設計値の締めしろが０の時には、突部４２ａ，４２ｂ，４２ｃの全てが係合溝５５に係合している。また、ローター３１の突出部３８が緩み側ストッパー６２に当接した緩み状態においても、突部４２ａ，４２ｂ，４２ｃの全てが係合溝５５に係合している。
【００３４】
前述のように、この実施例においては、一対の突起３９が、フック部材５１の面に対向して、ローター３１からフック部材５１が離脱するのを防止している。ところで、前記特願平６−１１６７８４号において開示した提案（以下、提案と呼ぶ）では、一対の突起３９ではなく、１個の大きなフランジで構成されていた。このように、フランジに代えて、一対の突起３９で構成すると、ローター３１をフック部材５１の円孔５２に嵌めることが容易に行うことができる。その結果、フック部材５１にローター３１を取り付ける作業を手で行うことができる。
【００３５】
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（１）実施例においては、第３突部４２ｃが係合する係合溝５５ｆは、図６に図示する４５°の位置にあるが、必ずしも、４５°ではなく、許容引っ張り力に耐える位置に設ければよい。なお、角度を大きくすれば、耐える力が小さくなり、逆に角度を小さくすると、耐える力が大きくなる。
【００３６】
（２）実施例においては、第３突部４２ｃは、ローター３１の偏心軸３３から一番遠い位置に配設されているが、ローター３１の円筒壁３５ａにおける偏心軸３３から遠い側の外周面に設けられていればよい。なお、偏心軸３３から一番遠い位置に配設されている方が、ローター３１の回転を防止する効果が大きい。
【００３７】
（３）実施例においては、係合溝５５は合計１０個設けられているが、係合溝５５の数および配置は適宜変更可能である。
（４）実施例においては、突起３９は一対設けられているが、その数を３個以上にすることも可能である。
【００３８】
（５）実施例においては、ローター３１の突部４２に係合する係合部は、係合溝５５であるが、この係合部は突部４２に係合することができるならば、その構造などは適宜変更可能である。たとえば、凹部や係合孔などで構成することも可能である。
【００３９】
【発明の効果】
ローターの胴部外周面に形成された３個の突部の内一対は、略１８０°ずれて配置され、残りの１個はローターの偏心軸から遠い側の胴部外周面において前記一対の突部の中間の位置に配置されている。したがって、フック部材がピンに係合した状態で、３個の突部全部に係合する複数個の係合部が形成されているので、フック部材に大きな力が加わっても、ロータリーロックが外れることを阻止することができる。
【００４０】
ところで、ローターの胴部の両端に、フック部材の離脱を防止する係止部が形成されている場合には、ローターの胴部をフック部材の円孔に嵌め込む際には、一方の係止部がフック部材の一面から、他面側に移動する必要がある。
【００４１】
本発明の場合には、この移動する係止部が複数個の突起で構成されているので、１個の大きな係止部たとえばフランジなどで構成されている場合よりも、小さな力で簡単にローターの胴部をフック部材の円孔に嵌め込むことができる。したがって、嵌め込み作業を楽に行うことができる。
【図面の簡単な説明】
【図１】図１は本発明におけるプレハブパネル用フック装置の一実施例の説明図で、プレハブパネルが結合されている状態での一部切欠き正面図である。
【図２】図２はプレハブパネル用フック装置のフック収納ケースの組み立て前の状態を説明するための図で、（ａ）が平面図、（ｂ）が正面図である。
【図３】図３はローターの図で、（ａ）が平面図、（ｂ）が正面図である。
【図４】図４は図３（ａ）のIV−IV断面図である。
【図５】図５はフック部材の平面図である。
【図６】図６はフック部材の係合溝とローターの突部との位置関係を説明するための図である。
【図７】図７はフック部材とローターとが結合されている状態の平面図で、（ａ）がフック部がローターの偏心軸に近づいた状態の図、（ｂ）が（ａ）に図示された位置からローターが４５°回動した状態の図、（ｃ）がフック部がローターの偏心軸から遠のいた状態の図である。
【図８】冷凍冷蔵庫の斜視図である。
【図９】従来のプレハブパネルの斜視図である。
【図１０】従来のプレハブパネル用フック装置の一部切欠き正面図である。
【図１１】従来のプレハブパネル用フック装置とピンとの係合状態を説明するための一部切欠き正面図である。
【図１２】従来のフック部材の正面図である。
【符号の説明】
３１  ローター
３３  偏心軸
３５  胴部
３７  フランジ（係止部）
３９  突起
４２ａ，４２ｂ，４２ｃ  突部
５１  フック部材
５２  円孔
５５  係合溝（係合部）
【図１】
0003540410.tif 000002
【図２】
0003540410.tif 000003
【図３】
0003540410.tif 000004
【図４】
0003540410.tif 000005
【図５】
0003540410.tif 000006
【図６】
0003540410.tif 000007
【図７】
0003540410.tif 000008
【図８】
0003540410.tif 000009
【図９】
0003540410.tif 000010
【図１０】
0003540410.tif 000011
【図１１】
0003540410.tif 000012
【図１２】
0003540410.tif 000013